【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
絞りを介して入射する光束を光電変換して画像信号を生成する撮像手段と、
前記撮像手段によって生成された画像信号の輝度を検出する検出手段と、
前記検出手段の検出結果に基づいて、前記絞りの絞り値を演算する演算手段と、
前記演算手段によって演算された絞り値となるように前記絞りを調節して露出制御を行う露出制御手段と、
被写体の輝度変化に伴い前記絞りの調節を行っているときに前記撮像手段へ入射した光束を光電変換して生成された画像信号に対して、該絞りの調節を行う前に生成された画像信号の輝度に基づいて輝度の補正を行う補正手段と、
を有することを特徴とする撮像装置。
【請求項２】
前記補正手段は、被写体の輝度変化に伴い前記絞りの調節を行っているときに前記撮像手段へ入射した光束を光電変換して生成された画像信号に対して、該絞りの調節を行う前に生成された画像信号との輝度差が小さくなるように前記補正を行うことを特徴とする請求項１に記載の撮像装置。
【請求項３】
前記補正手段は、被写体の輝度変化に伴い前記絞りの調節を行っているときに前記撮像手段へ入射した光束を光電変換して生成された画像信号に基づく画像の所定領域の輝度と、該絞りの調節を行う前に生成された画像信号に基づく画像の所定領域の輝度とを用いて前記補正を行うことを特徴とする請求項１または２に記載の撮像装置。
【請求項４】
前記補正手段は、被写体の輝度変化に伴い前記絞りの調節を行っているときに前記撮像手段へ入射した光束を光電変換して生成された画像信号に基づく画像の垂直方向の輝度差を示す情報と、該絞りの調節を行う前に生成された画像信号に基づく画像の垂直方向の輝度差を示す情報とを用いて前記補正を行うことを特徴とする請求項１ないし３のいずれか１項に記載の撮像装置。
【請求項５】
前記絞りの調節を行う際の絞り変化量と絞り変化に要する時間とを対応付けたテーブルを参照して、前記絞りの調節が行われているか否かを判断する判断手段を更に有することを特徴とする請求項１ないし４のいずれか１項に記載の撮像装置。
【請求項６】
前記絞りの駆動を検出する駆動検出手段と、
前記駆動検出手段の検出結果を参照して前記絞りの調節が行われているか否かを判断する判断手段と、
を更に有することを特徴とする請求項１ないし４のいずれか１項に記載の撮像装置。
【請求項７】
前記駆動検出手段は、前記絞りの駆動に伴い発生する振動を検出することで前記絞りの駆動を検出することを特徴とする請求項６に記載の撮像装置。
【請求項８】
絞りを介して入射する光束を光電変換して画像信号を生成する撮像手段を有する撮像装置の制御方法であって、
前記撮像装置の検出手段が、前記撮像手段で生成された画像信号の輝度を検出する検出ステップと、
前記撮像装置の演算手段が、前記検出ステップの検出結果に基づいて、前記絞りの絞り値を演算する演算ステップと、
前記撮像装置の露出制御手段が、前記演算ステップで演算された絞り値となるように前記絞りを調節して露出制御を行う露出制御ステップと、
前記撮像装置の補正手段が、被写体の輝度変化に伴い前記絞りの調節を行っているときに前記撮像手段へ入射した光束を光電変換して生成された画像信号に対して、該絞りの調節を行う前に生成された画像信号の輝度に基づいて輝度の補正を行う補正ステップと、
を有することを特徴とする撮像装置の制御方法。
【手続補正２】
【補正対象書類名】明細書
【補正対象項目名】００１０
【補正方法】変更
【補正の内容】
【００１０】
図１１において、右方向に時間が進行し、番号＃１〜＃６は、それぞれ対応するフレームを示す。図１１（ａ）は、被写体の輝度変化をフレーム単位で表す。図１１（ｂ）は、ローリング電子シャッタによる撮像素子の駆動の例を示し、縦方向は撮像素子のライン順を表す。斜線を付していない部分は、電荷の蓄積期間をライン順に示す。１ラインの蓄積期間は、シャッタ速度に対応する。図１１（ｃ）は、絞りを示し、上側が絞り値が小さい開放状態である。すなわち、図１１（ｃ）は、絞りが絞る方向に１段階だけ駆動されたことを表している。図１１（ｄ）は、撮像素子に対する露光により得られたフレーム毎の画像および露光状態を概略的に示す。また、図１１（ｅ）は、撮像素子に対する露光に応じて最終的に表示や記録される画像データの例を、フレーム毎に示す。
【手続補正３】
【補正対象書類名】明細書
【補正対象項目名】００１７
【補正方法】変更
【補正の内容】
【００１７】
上述した課題を解決するために、本発明に係る撮像装置は、絞りを介して入射する光束を光電変換して画像信号を生成する撮像手段と、前記撮像手段によって生成された画像信号の輝度を検出する検出手段と、前記検出手段の検出結果に基づいて、前記絞りの絞り値を演算する演算手段と、前記演算手段によって演算された絞り値となるように前記絞りを調節して露出制御を行う露出制御手段と、被写体の輝度変化に伴い前記絞りの調節を行っているときに前記撮像手段へ入射した光束を光電変換して生成された画像信号に対して、該絞りの調節を行う前に生成された画像信号の輝度に基づいて輝度の補正を行う補正手段と、を有することを特徴とする。
【手続補正４】
【補正対象書類名】明細書
【補正対象項目名】００１８
【補正方法】変更
【補正の内容】
【００１８】
また、本発明に係る撮像装置の制御方法は、絞りを介して入射する光束を光電変換して画像信号を生成する撮像手段を有する撮像装置の制御方法であって、前記撮像装置の検出手段が、前記撮像手段で生成された画像信号の輝度を検出する検出ステップと、前記撮像装置の演算手段が、前記検出ステップの検出結果に基づいて、前記絞りの絞り値を演算する演算ステップと、前記撮像装置の露出制御手段が、前記演算ステップで演算された絞り値となるように前記絞りを調節して露出制御を行う露出制御ステップと、前記撮像装置の補正手段が、被写体の輝度変化に伴い前記絞りの調節を行っているときに前記撮像手段へ入射した光束を光電変換して生成された画像信号に対して、該絞りの調節を行う前に生成された画像信号の輝度に基づいて輝度の補正を行う補正ステップと、を有することを特徴とする。
【手続補正５】
【補正対象書類名】明細書
【補正対象項目名】００４９
【補正方法】変更
【補正の内容】
【００４９】
図５（ｂ）は、ローリング電子シャッタによる撮像素子１０５の駆動の例を示し、縦方向は撮像素子のライン順を表す。斜線を付していない部分は、電荷の蓄積期間をライン順に示す。１ラインの蓄積期間は、シャッタ速度に対応する。図３を用いて説明したように撮像素子１０５が駆動され、この例では、最初のラインの走査が終了してから最後のラインの走査が終了するまで、１フレーム分の時間を要している。
【手続補正６】
【補正対象書類名】明細書
【補正対象項目名】００７３
【補正方法】変更
【補正の内容】
【００７３】
＜第３の実施形態＞
次に、本発明の第３の実施形態について説明する。上述の第１の実施形態では、絞り駆動期間に係る不適露光フレームの補正に用いる補正係数Ｂを、該当フレームの所定領域における輝度値の平均値または積分値を用いて算出していた。これに対して、本第３の実施形態では、当該補正係数を、撮像素子１０５から出力される画像信号による画像の水平方向の射影、すなわち、撮像素子１０５から出力される画像信号による画像の垂直方向の輝度差を示す情報に基づき求める。